(57)【要約】  反射防止部材は、反射光の正反射成分が０．１５％以下であり、反射光の拡散反射成分が０．２５％以上、且つ、０．６５％以下である反射特性を有する。
2016047059.tif 000002
【特許請求の範囲】
【請求項１】
反射光の正反射成分が０．１５％以下であり、
反射光の拡散反射成分が０．２５％以上、且つ、０．６５％以下である反射特性を有する、
反射防止部材。
【請求項２】
反射防止層と、
防眩層と、を備えた、
請求項１記載の反射防止部材。
【請求項３】
前記防眩層より上層に前記反射防止層が形成されている、
請求項２記載の反射防止部材。
【請求項４】
前記防眩層は、表面に入射光を拡散させる微細凹凸構造を有する、
請求項２、３のいずれか一項に記載の反射防止部材。
【請求項５】
前記防眩層は、拡散反射用のフィラーが充填されていない透明体から構成され、前記透明体の表面に入射光を拡散させる微細凹凸構造を有する、
請求項２、３のいずれか一項に記載の反射防止部材。
【請求項６】
前記反射防止層は、積層された４層以上の薄膜を有する、
請求項２〜５のいずれか一項に記載の反射防止部材。
【請求項７】
前記防眩層より上層に前記反射防止層が形成され、
前記防眩層は、表面に入射光を拡散させる微細凹凸構造を有し、
前記防眩層は、前記微細凹凸構造の表面の傾斜角のバラツキに起因して生じる前記反射防止層の膜厚バラツキが膜厚比±２０％以内となる傾斜角を有する面が、前記微細凹凸構造の加工面のうち６０％以上を占める、
請求項２記載の反射防止部材。
【発明の詳細な説明】
【技術分野】
【０００１】
本発明は、反射防止部材に関する。
【背景技術】
【０００２】
近年、ディスプレイの多用途化が進んでおり、例えば外光または照明が当たる状況など、視認性が低下しやすい状況でディスプレイが使用されることがある。このため、ディスプレイの表示パネルの反射処理性能の向上が求められている。【０００３】
反射処理の技術には、多層膜により反射光を打ち消し合わせて反射光を少なくさせるＡＲ（Ａｎｔｉ−Ｒｅｆｌｅｃｔｉｏｎ）技術と、微細凹凸構造を有する防眩層により反射光を拡散させて目立たなくするＡＧ（Ａｎｔｉ−Ｇｌａｒｅ）技術とがある。しかし、照明などが反射する場合、ＡＲ技術では、照明の輪郭が視認できてしまい、この点、表示の視認性が低下する。また、ＡＧ技術では、拡散した反射光により、反射部分が白く光って、表示の視認性が低下する。【０００４】
従来の技術として、特許文献１には、基材に塗布された透明樹脂に微細凹凸模様が設けられた防眩プラスチックフィルムが開示されている。特許文献２には、微細凹凸構造を有する防眩層の上に低屈折率層が形成された反射防止フィルムが開示されている。低屈折率層は、樹脂を塗布および硬化して形成される。
【先行技術文献】
【特許文献】
【０００５】
【特許文献１】特開平６−２３４１７５号公報
【特許文献２】国際公開第２００８／０８４６０４号
【発明の概要】
【０００６】
本発明は、反射処理性能の高い反射防止部材を提供する。
【０００７】
本発明の一態様に係る反射防止部材は、反射光の正反射成分が０．１５％以下であり、反射光の拡散反射成分が０．２５％以上、且つ、０．６５％以下である反射特性を有する。
【０００８】
本発明によれば、反射処理性能の高い反射防止部材を提供できる。
【図面の簡単な説明】
【０００９】
【図１】実施の形態の反射防止部材を示す図
【図２】反射防止部材の評価結果を示す特性図
【図３】図２の特性図における反射光の各成分を説明する図
【図４】実施の形態１の反射防止部材を示す模式図
【図５】実施の形態１の微細凹凸構造の傾斜角を説明する図
【図６】実施の形態２の反射防止部材を示す模式図
【図７】実施の形態２の微細凹凸構造の傾斜角を説明する図
【図８】反射防止層を示す図
【図９】反射防止層の膜厚比と反射率との関係を示すグラフ
【図１０Ａ】比較例の微細凹凸構造の一例の傾斜角を示す模式図
【図１０Ｂ】比較例の微細凹凸構造の一例の上面図
【図１１Ａ】反射防止部材の形状の第１の変形例を説明する図
【図１１Ｂ】反射防止部材の形状の第２の変形例を説明する図
【図１１Ｃ】反射防止部材の形状の第３の変形例を説明する図
【図１１Ｄ】反射防止部材の形状の第４の変形例を説明する図
【図１２Ａ】防眩層を形成する型の製造方法の第１例の第１工程を説明する図
【図１２Ｂ】防眩層を形成する型の製造方法の第１例の第２工程を説明する図
【図１２Ｃ】防眩層を形成する型の製造方法の第１例における最終的な型の形状を示す模式図
【図１３Ａ】防眩層を形成する型の製造方法の第２例の第１工程を説明する図
【図１３Ｂ】防眩層を形成する型の製造方法の第２例の第２工程を説明する図
【図１３Ｃ】防眩層を形成する型の製造方法の第２例における最終的な型の形状を示す模式図
【図１４】図１３Ｃに示す型を用いて作成した微細凹凸構造を示す模式図
【図１５Ａ】防眩層を形成する型の製造方法の第３例の第１工程を説明する図
【図１５Ｂ】防眩層を形成する型の製造方法の第３例における最終的な型の形状を示す模式図
【図１６】図１５Ｂに示す型を用いて作成した微細凹凸構造を示す模式図
【発明を実施するための形態】
【００１０】
本発明の実施の形態の説明に先立ち、従来の技術における問題点を簡単に説明する。ＡＧ技術の防眩層上にＡＲ技術の反射防止層を設けることで、各々の欠点を補って反射処理性能を向上することができる。しかしながら、防眩層の反射特性と反射防止層の反射特性とは、それぞれ独立したものでないと考えられる。本発明者らは、防眩層の反射特性と反射防止層の反射特性との両方が互いに作用し合って全体的な反射処理能力が決定される点に着目した。
【００１１】
以下、本発明の各実施の形態について図面を参照して詳細に説明する。なお、実施の形態において、同一の構成要素には同一の符号を付し、その説明は重複するので省略する。
【００１２】
図１は、本発明の実施の形態の反射防止部材を示す図である。
【００１３】
本発明の実施の形態の反射防止部材１０は、透明な基材１２の一面に防眩層１３と反射防止層１４とを有している。反射防止層１４は、防眩層１３より上層に形成されている。
【００１４】
実施の形態の反射防止部材１０は、拡散反射成分が０．２５％以上、且つ、０．６５％以下であり、正反射成分が０．１５％以下の反射特性値を有する。この反射特性値により、反射光の良好な視覚評価が得られる。
【００１５】
続いて、視覚評価試験と反射防止部材１０の評価結果について説明する。
【００１６】
図２は、実施の形態の反射防止部材の反射特性を示す特性図である。図３は、図２の特性図における各反射成分を説明する図である。
【００１７】
視覚評価試験は、複数の反射防止部材のサンプルについて、所定条件で光を写し込み、５名の評価人により反射の有無を評価することで行った。
【００１８】
サンプルは、９０ｍｍ×９０ｍｍのフィルム状の反射防止部材を、黒ＰＭＭＡ（Ｐｏｌｙ  Ｍｅｔｈｙｌ  Ｍｅｔｈａｃｒｙｌａｔｅ）板に、ＯＣＡ（Ｏｐｔｉｃａｌｌｙ  Ｃｌｅａｒ  Ａｄｈｅｓｉｖｅ）で貼り合わせたものを使用した。
【００１９】
光の写し込み条件は、環境輝度を１０００ｌｕｘ（晴天時の自動車の車室内の光の輝度の約２倍）とした実験室で、三波長発色型蛍光灯（Ｆ１０蛍光灯と呼ばれる）の光をサンプルに入射させる条件とした。
【００２０】
評価方法は、５人の評価者が、写り込んだ蛍光灯の像が見えるか、並びに、シート全体の黒さレベル（或いは光の反射による白浮きのレベル）を感じるかを評価する方法とした。
【００２１】
各サンプルの拡散反射成分と正反射成分とは、分光測色計（ＣＭ−７００ｄ、コニカミノルタ製）を用いて計測した。ここで、拡散反射成分とは、入射光に対する拡散光（ＳＣＥ：Ｓｐｅｃｕｌａｒ  Ｃｏｍｐｏｎｅｎｔ  Ｅｘｃｌｕｄｅ）の割合であり、拡散光とは、全反射光から正反射光を除外した反射光である（図３を参照）。正反射成分とは、入射光に対する正反射光の割合であり、正反射光は、全反射光（ＳＣＩ：Ｓｐｅｃｕｌａｒ  Ｃｏｍｐｏｎｅｎｔ  Ｉｎｃｌｕｄｅ）から拡散光（ＳＣＥ：Ｓｐｅｃｕｌａｒ  Ｃｏｍｐｏｎｅｎｔ  Ｅｘｃｌｕｄｅ）を除外した反射光である（図３を参照）。
【００２２】
上記のような視覚評価試験の結果、図２の丸プロットに示すように、本実施の形態の反射特性値（拡散反射成分が０．２５％以上、且つ、０．６５％以下、正反射成分が０．１５％以下）を有するサンプルでは、無反射の評価が得られた。
【００２３】
一方、正反射成分が０．１５％を超えたサンプルでは、蛍光灯の写りこみの輪郭が視認できるという評価が得られ、拡散反射成分が０．６５％を超えたサンプルでは、シート全体の黒さレベルが徐々に低下するという評価が得られた。
【００２４】
さらに、正反射成分が０．１５％以下であっても、拡散反射成分が０．２５％以下のサンプルでは、蛍光灯の写りこみの輪郭が僅かに感じられるという評価が得られた。
【００２５】
以上の視覚評価試験から、本実施の形態の反射特性値（拡散反射成分が０．２５％以上、且つ、０．６５％以下、正反射成分が０．１５％以下）を採用することで、正反射による光源の輪郭の視認度を顕著に低減でき、且つ、拡散光による白浮きを顕著に低減できることが分かった。本実施の形態の反射防止部材によれば、上記の反射特性値により、顕著に高い反射処理性能が得られる。
【００２６】
＜反射防止部材の具体例＞
上記の反射特性値を得るための一つの方法として、例えば微細凹凸構造を有する防眩層と、防眩層の上層に反射防止層となる多層膜を形成する方法がある。しかしながら、この構成では、微細凹凸構造の凹凸の傾斜によって反射防止層の膜厚がばらつき、正反射成分が０．１５％以下の良好な特性が得られ難い。
【００２７】
以下、上記の反射特性値を実現する反射防止部材の具体的な構成例およびその製造方法について幾つか説明する。なお、以下で説明する構成例および製造方法は一例であり、本発明がこれに制限されるものではない。
【００２８】
（実施の形態１、２）
図４は、実施の形態１の反射防止部材を示す模式図である。図５は、実施の形態１の微細凹凸構造の傾斜角を説明する図である。
【００２９】
実施の形態１の反射防止部材１０は、シート状の基材１２と、基材１２の一方の面に形成された微細凹凸構造２０と、微細凹凸構造２０の上に成膜された反射防止層１４とを有している。
【００３０】
微細凹凸構造２０は、光を拡散させる防眩層として機能する。微細凹凸構造２０は、表面に多数の凹凸（例えば多数の球面状の凸部２１）を有する構造である。凹凸の横方向のピッチは、０．５〜１０［μｍ］の範囲で、例えば具体的には２［μｍ］程度である。本実施の形態の防眩層は、層内部に光拡散する微粒子（フィラーに相当）の充填のない構成が採用される。
【００３１】
微細凹凸構造２０は、図５に示すように、凹凸表面の傾斜角θが管理されて形成されている。実施の形態１では、傾斜角が、特定角度θ１＝３６．８°以下となる面が、微細凹凸構造２０の形成面中、平面視したときの面積で６０％以上の範囲を占めるように形成されている。傾斜角は、基材１２の上面からの傾斜角を示している。図５中、太線により特定角度θ１を超える範囲を示している。図５中、Ｖ０は基材１２の上面の垂線を示し、ｈ０は凹凸表面の法線を示している。
【００３２】
傾斜角が特定角度θ１以下となる部分は、反射防止層１４の特性を良好にできる部分である。したがって、この範囲が増えると、反射防止部材１０の反射防止の特性を向上できる。よって、傾斜角が特定角度θ１以下となる部分が占める範囲は、微細凹凸構造２０の形成面中、より好ましくは７０％以上、さらに好ましくは８０％以上にしてもよい。
【００３３】
実施の形態１において、傾斜角が特定角度θ１以下となる面の割合を６０％以上としている理由については後述する。
【００３４】
反射防止層１４の詳細は、後述する。
【００３５】
図６は、実施の形態２の反射防止部材を示す模式図である。図７は、実施の形態２の微細凹凸構造の傾斜角を説明する図である。
【００３６】
実施の形態２の反射防止部材１０Ａは、シート状の基材１２と、基材１２の一方の面に形成された微細凹凸構造２０と、微細凹凸構造２０の上に成膜された反射防止層１４Ａとを有している。
【００３７】
微細凹凸構造２０は、図７に示すように、凹凸表面の傾斜角θが管理されて形成されている。実施の形態２では、傾斜角が、特定角度θ２＝４８．１°以下となる範囲が、微細凹凸構造２０の形成面中、平面視したときの面積で７０％以上の範囲を占めるように形成されている。図７中、太線により特定角度θ２を超える範囲を示している。
【００３８】
傾斜角が特定角度θ２以下の部分は、反射防止層１４Ａの特性を良好にできる部分である。したがって、この範囲が増えると、反射防止部材１０Ａの反射防止の特性を向上できる。よって、傾斜角が特定角度θ２以下となる部分が占める範囲は、微細凹凸構造２０の形成面中、より好ましくは８０％以上、さらに好ましくは９０％以上にしてもよい。
【００３９】
実施の形態２において、傾斜角が特定角度θ２以下となる面の割合を７０％以上としている理由については後述する。
【００４０】
図８は、反射防止層の一例を示す図である。図９は、一例の反射防止層の膜厚比と反射率との関係を示すグラフである。
【００４１】
反射防止層１４、１４Ａは、４層以上の複数種類の酸化膜を積層して構成される。反射防止層１４、１４Ａは、例えば、ＳｉＯ２、ＴｉＯ２、Ａｌ２Ｏ３などの透明な金属酸化物で構成される。反射防止層１４、１４Ａの各膜の材料は、金属、フッ化物、硫化物など、酸化物以外でもよい。反射防止層１４、１４Ａは、各層の屈折率と膜厚とがコントロールされて形成され、各界面を反射した光が異なる位相で重なることで、互いの光をキャンセルさせて反射光を低減させる。反射防止層１４、１４Ａの全体の厚みは、膜の種類および数によって変わるが、３００〜５００ｎｍなどであり、微細凹凸構造２０の凹凸量に比べて非常に薄い。
【００４２】
反射防止層１４、１４Ａの各膜は、蒸着法、スパッタ法などのドライプロセスを用いて形成されてもよい。蒸着法、スパッタ法は、真空中で蒸発させた材料物質を面上に凝縮させる方法に含まれる。また、上記各膜は、化学液相成長などのウエットプロセスを用いて形成されてもよい。また、反射防止層１４、１４Ａは、ドライプロセスの薄膜とウエットプロセスの薄膜とが積層されていてもよい。
【００４３】
図９に示すように、反射防止層１４、１４Ａは、膜厚が変わることで、可視光の反射率が変化する。膜厚と反射率との関係グラフにおいて、各界面の反射した光が効率的にキャンセルされることにより反射率が１パーセント以下となる範囲など、他の領域より反射率が低くなる膜厚領域がある。この膜厚領域より膜厚が大きくなるか、或いは、小さくなると反射率が急激に増加する。
【００４４】
反射防止層１４、１４Ａにおいて、反射率が低くなる膜厚領域の中央の膜厚を、膜厚比１とすると、図９に示すように、反射率が低くなる領域は、膜厚比０．８〜１．２となる。
【００４５】
実施の形態１の反射防止層１４は、基板の傾斜角がゼロのときに、膜厚比１の膜厚が得られるように形成される。このとき、傾斜角θを有する部分には、例えば蒸着により飛散してくる一定量の薄膜粒子に対して、傾斜角θだけ薄膜粒子が付着する面積が大きくなる。このため、傾斜角θを有する部分の膜厚は、傾斜角ゼロの部分と比べて薄くなる。傾斜角ゼロの部分を膜厚Ｘとすれば、傾斜角θを有する部分の膜厚Ｘ１は、次式（１）のように表わされる。
【００４６】
【数１】
2016047059.tif 000003
【００４７】
よって、実施の形態１の反射防止層１４では、傾斜角が０°〜特定角度θ１（＝３６．８°）の面に形成される薄膜の膜厚は、図９の範囲Ｗ１に示すように、膜厚比１〜０．８の膜厚となる。この膜厚領域では、反射率が１％以下となり、反射防止の特性が良好となる。傾斜角が特定角度θ１を超える面では、傾斜角が大きくなるに従って反射防止層１４の反射率が急激に上昇する。
【００４８】
前述したが、実施の形態１では、傾斜角が０°〜特定角度θ１（＝３６．８°）となる範囲が６０％以上を占めることで、反射防止層１４の良好な性能が得られる。
【００４９】
実施の形態２の反射防止層１４Ａは、基板の傾斜角がゼロのときに、膜厚比１．２の膜厚が得られるように形成されている。
【００５０】
上述のように、傾斜角ゼロの部分を膜厚Ｘとすれば、傾斜角θを有する部分の膜厚Ｘ１は、式（１）のように表わされる。よって、傾斜角が０°〜特定角度θ２（＝４８．１°）の面に形成される反射防止層１４Ａの膜厚は、図９の範囲Ｗ２に示すように、膜厚比１．２〜０．８の膜厚となる。この膜厚範囲の反射防止層１４Ａは、反射率が１％以下となり、反射防止の特性が良好となる。傾斜角が特定角度θ２を超える面では、傾斜角が大きくなるに従って反射防止層１４Ａの反射率が急激に上昇する。
【００５１】
前述したが、実施の形態２においても、傾斜角が０°〜特定角度θ２（＝４８．１°）となる範囲が７０％以上を占めることで、反射防止層１４の良好な特性が得られる。
【００５２】
＜比較例＞
ここでは、実施の形態１において、傾斜角が特定角度θ１以下となる面積を６０％以上とした理由、および、実施の形態２において、傾斜角が特定角度θ２以下となる面積を７０％以上とした理由を、図１０Ａ、図１０Ｂを参照して述べる。
【００５３】
図１０Ａは比較例の微細凹凸構造の傾斜角を示す模式図を示し、図１０Ｂは比較例の微細凹凸構造の上面図を示す。
【００５４】
図１０Ａ、図１０Ｂに示される比較例の微細凹凸構造は、基材５０の一つの面に同一径の半球を密に整列させたモデルである。図１０Ａの太線部分、および、図１０Ｂの斜線部分は、反射防止層の膜厚比が０．８〜１．２を外れる傾斜角の部位を、模式的に示している。
【００５５】
ここで、反射防止層を、平面に膜厚比１．０で作成するのであれば、前述の通り、図１０Ａの傾斜角θは３６．８°となる。また、反射防止層を、平面に膜厚比１．２で作成するのであれば、図１０Ａの傾斜角θは４８．１°となる。
【００５６】
平面視で、微細凹凸構造の加工面に対する、図１０Ａの太線部分の割合は、図１０Ｂの正三角形Ｔにおける斜線部分の割合と相似の関係にある。ｒ２は、平面視したときに、太線部分の内周側の円の半径であり、ｒ１は、平面視したときに、太線部分の外周側の円の半径である。これらの条件から、平面視したときの太線部分以外の面積の割合は、次のように求めることができる。
【００５７】
まず、正三角形Ｔの一辺の長さは２×ｒ１なので、その面積Ｓ０は、次式（２）となる。
【００５８】
【数２】
2016047059.tif 000004
【００５９】
次に、正三角形Ｔに含まれる斜線部の面積Ｓ１は、次式（３）となる。
【００６０】
【数３】
2016047059.tif 000005
【００６１】
平面視で太線部分以外の面積の割合Ｒ１と、半径ｒ１、ｒ２の関係とは、次式（４）、（５）となる。
【００６２】
【数４】
2016047059.tif 000006
【００６３】
これらの結果から、上記比較例のモデルにおいて、平面視で膜厚比が０．８〜１．２となる面積の割合Ｒ１は、膜厚比１．０の成膜をする場合（θ＝３６．８°）に４２％となり、膜厚比１．２の成膜をする場合（θ＝４８．１°）に６０％となる。
【００６４】
実施の形態１では、平面視において、膜厚比が０．８〜１．２となる面積の割合が６０％以上であり、半球を密に整列させただけの特別な工夫を施していないモデルの割合４２％と比較して十分に大きい。よって、実施の形態１の特有な構成により、反射防止層の作用を十分に得ることができる。
【００６５】
実施の形態２では、平面視において、膜厚比が０．８〜１．２となる面積の割合が７０％以上であり、半球を密に整列させただけの特別な工夫を施していないモデルの割合６０％と比較して十分に大きい。よって、実施の形態２の特有な構成により、反射防止層の作用を十分に得ることができる。
【００６６】
以上のように、実施の形態１、２の反射防止部材１０、１０Ａによれば、防眩層の微細凹凸構造２０により、ＡＧ技術の特性が得られ、反射防止層１４，１４Ａにより、良好な反射防止特性が得られる。よって、高い反射処理性能を有する反射防止部材１０、１０Ａを実現できる。
【００６７】
また、実施の形態１、２の反射防止部材１０、１０Ａによれば、微細凹凸構造２０の傾斜角の管理によって、急勾配な傾斜面で囲まれた溝部または凹部が少なくなるので、溝部または凹部への汚れの付着による視認性の低下も少なくできる。
【００６８】
なお、上記実施の形態１、２では、微細凹凸構造２０として、複数の球面状の凸部２１が形成された例を示したが、凹凸の形状は、これらに限られることはない。
【００６９】
また、上記実施の形態１、２では、微細凹凸構造２０の傾斜角の管理と、傾斜角ゼロの面に膜厚比１または膜厚比１．２の反射防止層１４，１４Ａを形成することで、反射防止層１４，１４Ａの良好な膜厚を実現している。しかしながら、傾斜角ゼロの面に形成される膜厚は、膜厚比０．８〜１．２の何れかにする必要はない。傾斜角ゼロの面に形成される膜厚が、膜厚比１．２以上であっても、微細凹凸構造２０の傾斜角の設け方によって、反射防止層１４，１４Ａの膜厚バラツキを、反射率の低くなる領域で膜厚比±２０％以内に抑えることが可能である。また、このような傾斜角の面の割合を一定以上に制御することも可能である。
【００７０】
また、図１１Ａ〜図１１Ｄに示すように、反射防止部材の形状は、特に制限されるものでない。図１１Ａのように板状の反射防止部材１０Ｂを用いても、図１１Ｂのようにフィルム状の反射防止部材１０Ｃを用いても、図１１Ｃのように帯状の反射防止部材１０Ｄを用いても、図１１Ｄのようにブロック状の反射防止部材１０Ｅを用いてもよい。反射防止部材１０Ｂ〜１０Ｅの各形状において、少なくとも１つの面に、上述した防眩層と反射防止層とを有すればよい。
【００７１】
また、反射防止層１４、１４Ａの各薄膜の種類、積層数、膜厚は、図示した具体例に限られず、種々に変更可能である。薄膜の積層数は４層以上とするとよい。
【００７２】
＜反射防止部材の製造方法＞
次に、反射防止部材の製造方法の一例について説明する。
【００７３】
反射防止部材の製造方法は、工程順に、防眩層形成工程と、反射防止層形成工程とを有する。
【００７４】
防眩層形成工程では、微細凹凸構造を有する型３０（図１２Ｃ参照）と、透明な基材１２（図４〜図７参照）と、硬化型透明樹脂とが用いられる。型３０は、例えば金型である。基材１２は、例えば、ヘイズの少ない、透明樹脂または透明ガラスなどである。透明樹脂には、例えば、ＰＥＴ（ポリエチレンテレフタラート）、ＰＣ（ポリカーボネート）、または、アクリル樹脂が含まれる。硬化透明樹脂としては、例えば、紫外線硬化型の透明レジンを適用できる。
【００７５】
型３０は、傾斜角が管理された凹凸面を有する。型３０の凹凸面は、転写された凹凸面において、傾斜角のバラツキに起因して生じる反射防止層の膜厚バラツキが膜厚比±２０％以内となる傾斜角を有する面が６０％以上を占めるように形成される。具体的には、実施の形態１の反射防止部材１０を製造する型３０は、転写された凹凸面の中で、傾斜角３６．８°以下の部分が６０％以上を占めるように形成される。実施の形態２の反射防止部材１０Ａを製造する型３０は、転写された凹凸面の中で、傾斜角４８．１°以下の部分が６０％以上を占めるように形成される。型３０の製造方法は後述する。
【００７６】
防眩層形成工程では、型３０を用いた型成形により、型３０の凹凸を転写した形状で、基材１２の上面に硬化型透明樹脂を硬化させる。これにより、基材１２の上面に透明な微細凹凸構造２０が付加されて防眩層が形成される。
【００７７】
反射防止層形成工程では、微細凹凸構造２０を有する基材１２に対して、ドライプロセス或いはウエットプロセスの成膜処理を複数回行う。各成膜処理は、薄膜の膜厚が管理されて行われる。実施の形態１の反射防止部材１０を製造する場合には、傾斜角０°の面に膜厚比１の反射防止層が形成されるように、膜厚が管理される。実施の形態２の反射防止部材１０Ａを製造する場合には、傾斜角０°の面に膜厚比１．２の反射防止層が形成されるように、膜厚が管理される。これにより、防眩層の微細凹凸構造２０より上層に、所定の反射防止層が形成される。
【００７８】
以上の工程により、実施の形態１、２の反射防止部材１０、１０Ａを製造することができる。
【００７９】
なお、反射防止部材の製造方法において、防眩層形成工程と反射防止層形成工程との間に、別の成膜処理が含まれていてもよい。
【００８０】
＜型の製造方法＞
続いて、防眩層形成工程で使用される型３０の製造方法の一例について説明する。
【００８１】
図１２Ａ〜図１２Ｃは、型の製造方法の第１例を説明する図である。図１２Ａは第１工程の説明図、図１２Ｂは第２工程の説明図、図１２Ｃは最終的な型の形状を示す模式図である。
【００８２】
型３０の製造方法の第１例は、先ず、図１２Ａに示すように、型材３１に、ブラスト加工、エッチング加工、又は、放電加工を及ぼして、型材３１の一面に、防眩作用が得られる光学距離のピッチで凹凸を形成する。次に、図１２Ｂに示すように、凹凸の下端部を、研磨又はエッチングにより、除去する。図１２Ｂの研磨又はエッチングの処理量により、傾斜角が大きくなる範囲の割合を調整することができる。
【００８３】
これにより、図１２Ｃに示すように、実施形態１、２の微細凹凸構造２０を転写したような凹凸を有する型３０を製造することができる。
【００８４】
図１３Ａ〜図１３Ｃは、型の製造方法の第２例を説明する図である。図１３Ａは第１工程の説明図、図１３Ｂは第２工程の説明図、図１３Ｃは最終的な型の形状を示す模式図である。
【００８５】
型３０の製造方法の第２例は、先ず、図１３Ａに示すように、型材３１の一面に、ブラスト加工、又は、エッチング加工により、防眩作用を及ぼす光学距離のピッチで凹凸を形成する。次に、図１３Ｂに示すように、凹凸の個々の凹部より小さな径の粒子３２を用いて追加のブラスト加工を行う。追加のブラスト加工では、凹凸の下端部など、薄い部分は、大きく削られ、凹部の中央など、厚みのある部分の削り量は小さくなる。これにより、図１３Ｃに示すように、傾斜角の大きな範囲が削られた微細凹凸構造を有する型３０を製造することができる。
【００８６】
図１４は、図１３Ｃに示す型を用いて作成した微細凹凸構造を示す模式図である。
【００８７】
第２例の型３０を用いて防眩層を形成することで、図１４のような微細凹凸構造２０Ａを作成することができる。微細凹凸構造２０Ａは、特定の角度を超えた傾斜角の面（図中、太線で示す）を、所定割合以下に制御することができる。
【００８８】
図１５Ａ、図１５Ｂは、防眩層を形成する型の製造方法の第３例を説明する図である。図１５Ａは第１工程の説明図、図１５Ｂは最終的な型の形状を示す模式図である。
【００８９】
型３０の製造方法の第３例は、図１５Ａに示すように、微細模様加工４５を施した電極４０を用いて、型材３１に放電加工を行うものである。これにより、図１５Ｂに示すように、微細模様加工４５に応じた一律の微細凹凸形状を有する型３０を形成することができる。
【００９０】
図１６は、図１５Ｂに示す型を用いて作成した微細凹凸構造を示す模式図である。
【００９１】
第３例の型３０を用いて防眩層を形成することで、図１６のような一律の凹凸形状を有する微細凹凸構造２０Ｂを作成することができる。微細凹凸構造２０Ｂは、例えば、断面台形形状の凹凸構造である。これにより、微細凹凸構造２０Ｂの全エリアにおいて、反射防止層の膜厚バラツキが、膜厚比±２０％以内となるように、傾斜角の制御が可能となる。
【００９２】
以上、本発明の各実施の形態について説明した。
【００９３】
なお、上記実施の形態では、防眩層と反射防止層とを有する構造により、本発明の反射防止部材を実現する例を示した。しかしながら、例えば、微細凹凸形状の表面にモスアイ構造を同時成形した構造など、防眩層と反射防止層とが区別されない構造により、本発明の反射防止部材を実現してもよい。また、防眩層の材料の屈折率を調整することで、正反射を低減する作用を生じさせるなど、防眩層と反射防止層とが区別されない構造により、本発明の反射防止部材を実現してもよい。
【００９４】
また、上記実施の形態では、防眩層をフィラー充填のない微細凹凸構造により実現する例を示したが、発明の反射特性値が得られれば、反射光拡散用のフィラーを充填した構造により防眩層を実現してもよい。
【産業上の利用可能性】
【００９５】
本発明は、ディスプレイの反射を防止する反射防止部材に利用することができる。
【符号の説明】
【００９６】
１０，１０Ａ，１０Ｂ，１０Ｃ，１０Ｄ，１０Ｅ    反射防止部材
１２，５０    基材
１３    防眩層
１４，１４Ａ    反射防止層
２０，２０Ａ，２０Ｂ    微細凹凸構造
３２    粒子
【図１】
2016047059.tif 000007
【図２】
2016047059.tif 000008
【図３】
2016047059.tif 000009
【図４】
2016047059.tif 000010
【図５】
2016047059.tif 000011
【図６】
2016047059.tif 000012
【図７】
2016047059.tif 000013
【図８】
2016047059.tif 000014
【図９】
2016047059.tif 000015
【図１０Ａ】
2016047059.tif 000016
【図１０Ｂ】
2016047059.tif 000017
【図１１Ａ】
2016047059.tif 000018
【図１１Ｂ】
2016047059.tif 000019
【図１１Ｃ】
2016047059.tif 000020
【図１１Ｄ】
2016047059.tif 000021
【図１２Ａ】
2016047059.tif 000022
【図１２Ｂ】
2016047059.tif 000023
【図１２Ｃ】
2016047059.tif 000024
【図１３Ａ】
2016047059.tif 000025
【図１３Ｂ】
2016047059.tif 000026
【図１３Ｃ】
2016047059.tif 000027
【図１４】
2016047059.tif 000028
【図１５Ａ】
2016047059.tif 000029
【図１５Ｂ】
2016047059.tif 000030
【図１６】
2016047059.tif 000031
【手続補正書】
【提出日】平成29年3月7日(2017.3.7)
【手続補正１】
【補正対象書類名】明細書
【補正対象項目名】００４５
【補正方法】変更
【補正の内容】
【００４５】
実施の形態１の反射防止層１４は、基材の傾斜角がゼロのときに、膜厚比１の膜厚が得られるように形成される。このとき、傾斜角θを有する部分には、例えば蒸着により飛散してくる一定量の薄膜粒子に対して、傾斜角θだけ薄膜粒子が付着する面積が大きくなる。このため、傾斜角θを有する部分の膜厚は、傾斜角ゼロの部分と比べて薄くなる。傾斜角ゼロの部分を膜厚Ｘとすれば、傾斜角θを有する部分の膜厚Ｘ１は、次式（１）のように表わされる。
【手続補正２】
【補正対象書類名】明細書
【補正対象項目名】００４９
【補正方法】変更
【補正の内容】
【００４９】
実施の形態２の反射防止層１４Ａは、基材の傾斜角がゼロのときに、膜厚比１．２の膜厚が得られるように形成されている。
【手続補正３】
【補正対象書類名】明細書
【補正対象項目名】００６４
【補正方法】変更
【補正の内容】
【００６４】
実施の形態１では、平面視において、膜厚比が０．８〜１．０となる面積の割合が６０％以上であり、半球を密に整列させただけの特別な工夫を施していないモデルの割合４２％と比較して十分に大きい。よって、実施の形態１の特有な構成により、反射防止層の作用を十分に得ることができる。
【手続補正４】
【補正対象書類名】明細書
【補正対象項目名】００７６
【補正方法】変更
【補正の内容】
【００７６】
防眩層形成工程では、基材１２の上に、型３０を用いた型成形により、型３０の凹凸を転写した形状で、硬化型透明樹脂を硬化させる。これにより、基材１２の上面に透明な微細凹凸構造２０が付加されて防眩層が形成される。
【手続補正５】
【補正対象書類名】図面
【補正対象項目名】図１６
【補正方法】変更
【補正の内容】
【図１６】
2016047059.tif 000032
【国際調査報告】
2016047059.tif 000033
2016047059.tif 000034
2016047059.tif 000035
2016047059.tif 000036